(57)【特許請求の範囲】
【請求項１】
筒部にクリップが取り付けられた筆記具において、
前記クリップは、前記筒部の軸線方向に延在するクリップ本体部と、前記クリップ本体部の後端側で両側部から前記筒部の外周面に被さるように広がる一対のヒレ部と、を有し、
前記ヒレ部と前記筒部の前記外周面とを回動軸部で連結し、前記クリップ本体部と前記筒部との間には、前記クリップ本体部を径方向に付勢するコイルバネが配置され、
前記筒部には、前記ヒレ部を覆う筒状のカバー部が装着されていることを特徴とする筆記具。
【請求項２】
前記筒部には、前記コイルバネを立設させる着座凹部を有するバネ台座部が、前記筒部の径方向に突出して設けられ、前記クリップ本体部の後端側には、前記バネ台座部が嵌め込まれる台座収容凹部が設けられていることを特徴とする請求項１記載の筆記具。
【請求項３】
前記クリップは、スチールにより形成され、前記ヒレ部には軸孔が形成され、前記筒部には、前記軸孔内に挿入される前記回動軸部が形成されていることを特徴とする請求項１又は２記載の筆記具。
【請求項４】
前記筒部には、前記ヒレ部を収容する陥没部が形成され、前記陥没部内に前記回動軸部が配置されていることを特徴とする請求項１〜３の何れか一項に記載の筆記具。
【発明の詳細な説明】
【技術分野】
【０００１】
本発明は、筒状をなす軸筒やキャップにクリップが取り付けられた筆記具に関するものである。
【背景技術】
【０００２】
従来、このような分野の技術として、特開２００９−４５８０７号公報がある。この公報に記載された筆記具において、軸筒の尾端には筒状の尾冠が螺着されている。この尾冠には、軸線方向に延在する一対の取付壁が形成され、取付壁には回転支軸が突設されている。この尾冠に取り付けられているクリップは合成樹脂で成形されており、クリップの尾端部には係止孔が穿設され、この係止孔内に回転支軸が挿入され、これによって、クリップが軸筒に対して回動自在に装着される。さらに、捻りコイルバネの一端が尾冠の表面に圧接され、捻りコイルバネの他端がクリップの裏面に圧着されることで、クリップに弾性力を発揮させている。
【先行技術文献】
【特許文献】
【０００３】
【特許文献１】特開２００９−４５８０７号公報
【特許文献２】実開昭６１−１１８７８７号公報
【発明の概要】
【発明が解決しようとする課題】
【０００４】
しかしながら、前述した従来の筆記具には、軸筒から径方向に突出する取付壁に回転支軸が設けられているので、径方向におけるクリップの突出量が大きくなり、その結果として、外観的にクリップが大型化してしまうといった問題点がある。
【０００５】
本発明は、径方向におけるクリップ本体部の突出量を小さくすることができ、その結果として、クリップのスリム化を達成させることができる筆記具を提供することを目的とする。
【課題を解決するための手段】
【０００６】
本発明は、筒部にクリップが取り付けられた筆記具において、
クリップは、筒部の軸線方向に延在するクリップ本体部と、クリップ本体部の後端側で両側部から筒部の外周面に被さるように広がる一対のヒレ部と、を有し、
ヒレ部と筒部の外周面とを回動軸部で連結し、クリップ本体部と筒部との間には、クリップ本体部を径方向に付勢するコイルバネが配置され、
筒部には、ヒレ部を覆う筒状のカバー部が装着されていることを特徴とする。
【０００７】
この筆記具においては、筒部(例えば軸筒やキャップ)に取り付けられるクリップには、クリップ本体部の後端側で両側部から筒部の外周面に被さるように広がる一対のヒレ部が設けられている。このような構成によって、回動軸部を、筒部の外周面でクリップ本体部から離すように配置させることができるので、クリップ本体部を筒部に近づけることが可能となり、これによって、径方向におけるクリップ本体部の突出量を小さくすることができ、その結果として、クリップのスリム化を達成させることができる。さらには、広がるような形状をしたヒレ部によって、クリップの横ズレが起こり難くなり、回動軸部によるヒレ部と筒部との連結が外れ難くなる。また、安価で小型・軽量化し易いコイルバネの場合、Ｕ字状の板バネに比べて横ズレを起こし易いが、ヒレ部を採用することで、コイルバネの欠点をも解消することができる。
更に、筒部には、ヒレ部を覆う筒状のカバー部が装着されている。
このような構成を採用すると、ヒレ部や回動軸部をカバー部で隠すことができるので、引っ掛かりのないスッキリした外観を作り出すことができる。さらには、ヒレ部が広がり過ぎてしまうのをカバー部が押さえ込むことができるので、クリップが筒部から外れ難くなる。特に、安価なスチールで成形されたクリップの場合、ヒレ部が変形を起こすと元の形状に戻り難いので、カバー部は有効である。
【０００８】
また、筒部には、コイルバネを立設させる着座凹部を有するバネ台座部が、筒部の径方向に突出して設けられ、クリップ本体部の後端側には、バネ台座部が嵌め込まれる台座収容凹部が設けられていると好適である。
このように、筒部のバネ台座部がクリップ本体部の台座収容凹部内に嵌め込まれることで、クリップの横ズレを防止することができ、しかも、バネ台座部の着座凹部内にコイルバネを立設させているので、クリップ内にコイルバネを隠すことができ、バネの露出が無いスッキリした外観を作り出すことができる。
【０００９】
また、クリップは、スチールにより形成され、ヒレ部には軸孔が形成され、筒部には、軸孔内に挿入される回動軸部が形成されていると好適である。
スチール製のクリップのヒレ部に回動軸部をプレス成形した場合、回動軸部の根元部分がＲアール面取り形状になってしまうので、筒部に設けられた軸孔から回動軸部が抜け易くなる。これに対して、スチール製のクリップのヒレ部に軸孔をプレス成形した場合、軸孔の縁にエッジが立ち易く、このエッジによって回動軸部から軸孔が外れ難くなる。
【００１０】
また、筒部には、ヒレ部を収容する陥没部が形成され、陥没部内に回動軸部が配置されていると好適である。
このような構成を採用すると、回動軸部やヒレ部を筒部の直径内に収めることができ、これによって、筆記具の直径を不必要に大きくすることがなく、筆記具のスリム化を可能にしている。
【発明の効果】
【００１２】
本発明によれば、径方向におけるクリップ本体部の突出量を小さくすることができ、その結果として、クリップのスリム化を達成させることができる。
【図面の簡単な説明】
【００１３】
【図１】本発明に係る筆記具の第１の実施形態を示す斜視図である。
【図２】図１に示された筆記具の縦断面図である。
【図３】クリップの正面図、平面図、右側面図である。
【図４】図１に示された筆記具の分解斜視図である。
【図５】図２のＶ−Ｖ線に沿う断面図である。
【図６】本発明に係る筆記具の第２の実施形態を示す斜視図である。
【発明を実施するための形態】
【００１４】
以下、図面を参照しつつ本発明に係る筆記具の好適な実施形態について詳細に説明する。なお、ペン先側を「前方側」として以下説明する。
【００１５】
図１及び図２に示すように、筆記具１は、ノック式であり、リフィール３を収容する合成樹脂製の軸筒(筒部)２を有し、この軸筒２の後端には、ノック部４が突出し、軸筒２の握り部分には、ゴム製のグリップ部２ａが固着されている。軸筒２の後端側には、スチール製のクリップ５が取り付けられ、このクリップ５は、薄板材のプレス成形によって軽量化が図られている。
【００１６】
図３及び図４に示すように、クリップ５は、軸筒２の軸線Ｌ方向に直線的に延在するクリップ本体部６と、クリップ本体部６の後端側で両側部から軸筒２の外周面に被さるように湾曲して広がる一対のヒレ部７とからなる。クリップ本体部６は、直線状で軸線Ｌ方向に延びる平坦な上面部６ａと、上面部６ａの左右の長辺に沿って直角に折り曲げられた側面部６ｂと、側面部６ｂの先端に設けられた三角凸部６ｃと、上面部６ａの先端で折り返された舌片部６ｄと、側面部６ｂの後部に設けられた拡幅部６ｅと、上面部６ａの後端で直角に折り曲げられた舌片部６ｆと、からなる。
【００１７】
側面部６ｂの先端に設けられた三角凸部６ｃと上面部６ａの先端で折り返された舌片部６ｄとの協働により膨出部８が形成され、側面部６ｂの後端に設けられた拡幅部６ｅと上面部６ａの後端で折り曲げられた舌片部６ｆとの協働により略直方体の台座包囲部９が形成されている。そして、台座包囲部９の内部には中空の台座収容凹部Ｓが形成されている。ヒレ部７は、拡幅部６ｅの下端から湾曲するように広げられ、略中央に円形の軸孔１０がプレスによって打ち抜き成形されている。そして、この軸孔１０には、軸筒２に形成された回動軸部１３が挿入される。
【００１８】
このように、スチール製クリップ５のヒレ部７に軸孔１０をプレス成形した場合、軸孔１０の縁にエッジが立ち易く、このエッジによって回動軸部１３から軸孔１０が外れ難くなる。特に、回転軸部１３が樹脂成形部分であれば、硬度が相対的に硬いヒレ部７に形成された軸孔１０との関係で効果が顕著に発現される。また、回動軸部１３を中心にクリップ５が開く場合には、クリップ５の舌片部６ｆの下端６ｇが軸筒２の外面に当たることで、クリップ５の開きが規制される。
【００１９】
さらに、一対のヒレ部７の採用によって、回動軸部１３を、軸筒２の外周面でクリップ本体部６から離すように配置させることができるので、クリップ本体部６を軸筒２に近づけることが可能となり、これによって、径方向におけるクリップ本体部６の突出量を小さくすることができ、その結果として、クリップ５のスリム化を達成させることができる。さらには、広がるような形状をしたヒレ部７によって、クリップ５の横ズレが起こり難くなり、回動軸部１３によるヒレ部７と軸筒２との連結が外れ難くなる。また、安価で小型・軽量化し易いコイルバネ１１を採用する場合、Ｕ字状の板バネに比べて横ズレを起こし易いが、ヒレ部７を採用することで、コイルバネ１１の欠点をも解消することができる。
【００２０】
図２、図４及び図５に示すように、軸筒２には、コイルバネ１１を立設させるための着座凹部１２ａを有するバネ台座部１２が、軸筒２の径方向に突出して設けられている。このバネ台座部１２は、クリップ本体部６の後端側に設けられた台座収容凹部Ｓ内に嵌め込まれる。さらに、バネ台座部１２の側壁面１２ｂには、台座包囲部９との接触面積を低減させて、クリップ５の回動をスムーズにするための切除凹部１２ｃが形成されている。このような切除凹部１２ｃによって、バネ台座部１２の前側は、断面Ｔ字状に形成され、台座包囲部９との接触面積の低減を図っている。
【００２１】
コイルバネ１１は、バネ台座部１２で確実に保持された状態で、台座包囲部９内に収容され、クリップ本体部６と軸筒２との間に確実に配置されて、クリップ本体部６の後端側を径方向に付勢する。軸筒２のバネ台座部１２がクリップ本体部６の台座収容凹部Ｓ内に嵌め込まれることで、クリップ５の横ズレを防止することができ、しかも、バネ台座部１２の着座凹部１２ａ内にコイルバネを立設させているので、クリップ５内にコイルバネ１１を隠すことができ、バネの露出が無いスッキリした外観を作り出すことができる。
【００２２】
さらに、軸筒２には、ヒレ部７を収容するために軸筒２の外周面の一部として形成された陥没部１４が設けられ、陥没部１４内には回動軸部１３が配置されている。この陥没部１４は、バネ台座部１２側が開放され、回動軸部１３のバネ台座部１２側に傾斜面１３ａが形成されているので、ヒレ部７を、陥没部１４内にバネ台座部１２側から嵌め込み易く、しかも、ヒレ部７の軸孔１０内に確実に回動軸部１３を挿入させることができる。そして、陥没部１４を採用すると、回動軸部１３やヒレ部７を軸筒２の直径内に収めることができ、これによって、筆記具１の直径を不必要に大きくすることがなく、筆記具１のスリム化を可能にしている。
【００２３】
また、軸筒２の後部には、ヒレ部７を覆う筒状の樹脂製カバー部１６が装着され、このカバー部１６は、断面Ｃ字状に形成されて、スリット１６ａは押し開くことができる。軸筒２の後部には、陥没部１４を含むようにして、カバー部１６の肉厚分だけ縮径された縮径部１７が形成され、これによって、カバー部１６の外周面と軸筒２の外表面とを同一面にして、意匠性の向上や指の引っ掛かりを無くすことができる。そして、軸筒２の後端には、カバー部１６の抜けを防止するためのフランジ部２ｂが形成されている。
【００２４】
カバー部１６のスリット１６ａを押し広げながら、バネ台座部１２の反対側から縮径部１７にカバー部１６を嵌めると、ヒレ部７や回動軸部１３をカバー部１６で隠すことができるので、引っ掛かりのないスッキリした外観を作り出すことができる。さらには、ヒレ部７が広がり過ぎてしまうのをカバー部１６で押さえ込むことができるので、クリップ５の軸孔１０が軸筒２の回動軸部１３から外れ難くなる。特に、安価なスチールで成形されたクリップ５の場合、ヒレ部７が変形を起こすと元の形状に戻り難いので、カバー部１６は有効である。
【００２５】
本発明は、前述した実施形態に限定されないことは言うまでもない。
【００２６】
例えば、図６に示すように、他の筆記具２０にあっては、軸筒２の後端を塞ぐような蓋形状のカバー部２１が採用されている。このカバー部２１は、バネ台座部１２を露出させるためのスリット２１ａが形成された周壁２１ｂと、軸筒２の後端面２ｃの開口２ｄを塞ぐための閉鎖壁２１ｃとから構成されている。
【００２７】
前述した「筒部」としては、リフィール３を収容する軸筒２であっても、リフィール３の先端を保護するためのキャップであってもよい。
【符号の説明】
【００２８】
１,２０…筆記具、２…軸筒(筒部)、５…クリップ、６…クリップ本体部、７…ヒレ部、１０…軸孔、１１…コイルバネ、１２…バネ台座部、１２ａ…着座凹部、１３…回動軸部、１４…陥没部、１６,２１…カバー部、Ｌ…軸線、Ｓ…台座収容凹部。
【図１】
0005508776.tif 000002
【図２】
0005508776.tif 000003
【図３】
0005508776.tif 000004
【図４】
0005508776.tif 000005
【図５】
0005508776.tif 000006
【図６】
0005508776.tif 000007